(57)【要約】【課題】本件は、記憶媒体が着脱自在に装填され装填された記憶媒体をドライブする媒体ドライブユニット、およびその媒体ドライブユニットが装着された電子機器に関し、コストの低減化を図るとともに十分な操作ストロークを有する操作部を備える。【解決手段】押下操作を受ける操作部１４３ａと、その操作部を取り巻いて延在し枠体１４３の表裏面に貫通する開口１４３ｅによって操作部から隔てられて操作部を取り巻く枠体本体部１４３ｆと、操作部１４３ａの、開口１４３ｅ側の辺に沿って、その開口内を延在し、一端および他端が枠体本体部１４３ｆおよび操作部１４３ａにそれぞれ接続され、操作部１４３ａが押下操作を受けた際に弾性的に撓んで操作部を本体側に偏倚させる弾性支持片１４３ｈとを有し、枠体本体部１４３ｆ、操作部１４３ａおよび弾性支持片１４３ｈを含む全体が一体成形物からなる。【選択図】        図７
2010123197.tif 000002
【特許請求の範囲】
【請求項１】
記憶媒体が着脱自在に装填され装填された記憶媒体をドライブする本体と、
前記本体をスライド自在に収納する収納体と、
前記本体の、前記収納体からスライドして突出する側の前端面を覆う枠体とを備え、
前記本体が、前記前端面に、押下を受けて該本体を前記収納体からスライドにより突出させるためのボタンを備え、
前記枠体が、該枠体の前記本体側を向いた裏面に前記ボタンに向いて突出した突起が設けられ外側を向いた表面側からの押下操作を受けて前記本体側に偏倚し前記突起先端で前記ボタンを押す操作部と、前記操作部を取り巻いて延在し該枠体の表裏面に貫通する開口によって該操作部から隔てられて該操作部を取り巻く枠体本体部と、前記操作部の、前記開口に隣接する辺に沿って該開口内を延在し、一端および他端が前記枠体本体部および前記操作部にそれぞれ接続され、該操作部が押下操作を受けた際に弾性的に撓んで該操作部を前記本体側に偏倚させる弾性支持片とを有し、前記枠体本体部、前記操作部および前記弾性支持片を含む該枠体全体が一体成形物であることを特徴とする媒体ドライブユニット。
【請求項２】
前記弾性支持片が、前記操作部を間に挟んで２つ形成されていることを特徴とする請求項１記載の媒体ドライブユニット。
【請求項３】
２つの前記弾性支持片が、前記開口内を、前記枠体本体部に接続された一端から前記操作部に接続された他端に向かって互いに逆向きに延在していることを特徴とする請求項２記載の媒体ドライブユニット。
【請求項４】
請求項１から３のうちいずれか１項記載の媒体ドライブユニットが装着されていることを特徴とする電子機器。
【請求項５】
前記枠体は、当該電子機器の表面の一部を成すことを特徴とする請求項４記載の電子機器。
【請求項６】
当該電子機器が、演算処理を行なう演算回路を内蔵し操作に応じた指示を入力するキーボードを上面に備えた演算ユニットを備え、前記媒体ドライブユニットを構成する前記枠体が前記演算ユニットの一側面の一部を成すものであることを特徴とする請求項５記載の電子機器。
【発明の詳細な説明】
【技術分野】
【０００１】
本発明は、記憶媒体が着脱自在に装填され装填された記憶媒体をドライブする媒体ドライブユニット、およびその媒体ドライブユニットが装着された電子機器に関する。
【背景技術】
【０００２】
近年、パーソナルコンピュータ（以下では、パソコンあるいはＰＣと略記する）が、オフィスのみでなく家庭内にも広く普及してきている。このパソコンの一形態として、上面にキーボードを備えた本体ユニットと、その本体ユニットにヒンジ部材で開閉自在に連結されるとともに表示パネルを備えた表示ユニットとを有し、使用時には本体ユニットに対し表示ユニットを立てた位置に開き、不使用時には表示画面がキーボード上に重なるよう折り畳んでおく、いわゆるノート型パーソナルコンピュータ（以下、ノートＰＣと略記する）が広く知られている。
【０００３】
また、ノートＰＣ等のＰＣには、ＣＤやＤＶＤ等の記憶媒体をドライブする媒体ドライブユニットが備えられている。この媒体ドライブユニットには、記憶媒体が載置されるトレイと、そのトレイの前面に配備された化粧パネルが備えられている。また、化粧パネルとは別に、押下を受けてトレイをスライドにより突出させるための押下ボタンが備えられている。また、トレイには、押下ボタンが押されたことを受けて作動するスイッチ部が備えられている。
【０００４】
ここで、操作ボタン自体についての工夫や、操作ボタンの化粧パネルへの取付構造について様々な提案がある。
【特許文献１】特開２００７−３１１０５０号公報
【特許文献２】特開平１１−６６８３０号公報
【発明の開示】
【発明が解決しようとする課題】
【０００５】
操作部材を化粧パネル本体とは別体の部品として製作すると、コストアップになるという問題がある。一方、操作部材を化粧パネルと一体に作製した場合に、操作部材の操作ストローク（操作部材を押下操作したときの操作部材の移動量）が小さくなりがちであり、十分な操作ストロークの確保が問題となる。
【０００６】
本件開示の媒体ドライブユニットおよび電子機器の課題は、コストの低減化を図るとともに十分な操作ストロークを有する操作部を備えることにある。
【課題を解決するための手段】
【０００７】
本件開示の媒体ドライブユニットは、本体と、収納体と、枠体と、ボタンとを備えている。
【０００８】
本体は、記憶媒体が着脱自在に装填され装填された記憶媒体をドライブする。
【０００９】
収納体は、本体をスライド自在に収納する。
【００１０】
枠体は、本体の、収納体からスライドして突出する側の前端面を覆う。
【００１１】
ここで、本体は、上記前端面に、押下を受けて本体を収納体からスライドにより突出させるためのボタンを備えている。
【００１２】
また、枠体は、操作部と、枠体本体部と、弾性支持片とを有する。
【００１３】
操作部は、枠体の本体側を向いた裏面に上記ボタンに向いて突出した突起が設けられ外側を向いた表面側からの押下操作を受けて本体側に偏倚して突起先端でボタンを押す。
【００１４】
また、枠体本体部は、上記操作部を取り巻いて延在し枠体の表裏面に貫通する開口によって操作部から隔てられて操作部を取り巻く。
【００１５】
さらに、弾性支持片は、操作部の、開口に隣接する辺に沿って開口内を延在し、一端および他端が枠体本体部および操作部にそれぞれ接続されている。この弾性支持片は、操作部が押下操作を受けた際に弾性的に撓んで操作部を本体側に偏倚させる。
【００１６】
ここで、枠体は、枠体本体部、操作部および弾性支持片を含む枠体全体が一体形成された物品である。
【００１７】
また、本件開示の電子機器は、本件開示の媒体ドライブユニットが装着されている。
【発明の効果】
【００１８】
本件開示の媒体ドライブユニットおよび電子機器は、一体成形によりコストの低減化が図られ、かつ十分な操作ストロークを有する操作部を有する。
【発明を実施するための最良の形態】
【００１９】
以下、本件の実施形態について説明する。以下では、電子機器の一例であるノートＰＣを取り上げて説明する。
【００２０】
図１は、ノートＰＣの外観を示す、開状態の斜視図である。また、図２は、そのノートＰＣの閉状態の斜視図である。
【００２１】
このノートＰＣ１は、演算ユニット１０と表示ユニット２０とで構成されている。表示ユニット２０は、ヒンジ部材３０により、演算ユニット１０上に重なった閉状態（図２参照）と演算ユニット１０から開いた開状態（図１参照）との間で開閉自在に連結されている。
【００２２】
演算ユニット１０には、その上面に、キーボード１１や、トラックパッド１２や、係合穴１３が配置されている。キーボード１１は、操作に応じた指示を入力するものである。また、トラックパッド１２は、操作に応じて、表示画面２１ａ上の任意のポイントを指示するポインティングデバイスの一種である。また、係合穴１３は、ロック用のフック２２１が入り込む穴である。
【００２３】
また、この演算ユニット１０の左側面には、図１に示すように、ＣＤ／ＤＶＤドライブユニット１４が備えられている。このＣＤ／ＤＶＤドライブユニット１４は、ＣＤやＤＶＤ等の記憶媒体が装填され装着された記憶媒体をドライブするユニットである。このＣＤ／ＤＶＤドライブユニット１４は、媒体ドライブユニットの一例である。
【００２４】
さらに、この演算ユニット１０には、ＣＰＵやその他多数の電子部品が内蔵されており、プログラムの実行により様々な演算処理が行なわれる。
【００２５】
一方、表示ユニット２０には、その前面に、表示パネル２１を構成する表示画面２１ａが配置されている。その表示画面２１ａの周囲が前枠２６で覆われている。また、この表示ユニット２０の前面の、表示画面２１ａの上縁よりも上の位置には前枠２６からロック用のフック２２１が突出している。このフック２２１は、この表示ユニット２０を演算ユニット１０上に閉じたときに演算ユニット１０の上面の係合穴１３に入り込み、表示ユニット２０が演算ユニット１０から不用意に開かないようにその係合穴１３内で係止される。
【００２６】
さらに、表示ユニット２０の上端面には、ロック解除用の操作子２２２が配置されている。この操作子２２２を押すとフック２２１がロック解除方向に移動し、図２に示す閉状態にあるときにこの操作子２２２を押すことによりフック２２１を係合穴１３から外し、表示ユニット２０を開くことができる。
【００２７】
以上はノートＰＣ全体の概要説明であり、以下では本件の実施形態における特徴部分であるＣＤ／ＤＶＤドライブユニット１４の構造について説明する。
【００２８】
図３は、ノートＰＣの開状態の左側面を見た斜視図である。また図４は、ノートＰＣの本体ユニットに備えられたＣＤ／ＤＶＤドライブユニットを取り出して示した斜視図である。
【００２９】
演算ユニット１０の左側面には、図３に示すように、ＣＤやＤＶＤ等の記憶媒体が装填され、装填された記憶媒体にドライブするＣＤ／ＤＶＤドライブユニット１４が備えられている。
【００３０】
このＣＤ／ＤＶＤドライブユニット１４には、本体１４１と収納体１４２が備えられている。本体１４１は、記憶媒体が着脱自在に装填され装填された記憶媒体をドライブするトレイ形状の部材である。また、収納体１４２は、本体１４１をスライド自在に収納する部材である。また、このＣＤ／ＤＶＤドライブユニット１４には、枠体１４３が備えられている。この枠体１４３は、本体１４１の、収納体１４２からスライドして突出する側の前端面を覆う部材である。この枠体１４３は、ノートＰＣ１の演算ユニット１０の左側面の一部を成すものである。この枠体１４３は後述する操作部１４３ａを有する。また、この枠体１４３は、メンテナンス時に工具を使って収納体から本体をスライドさせて取り出すための開口１４３ｂを有する。
【００３１】
図５は、枠体が取り外された状態の本体の前端面を示す図である。また図６は、本体から取り外された状態の枠体の裏面を示した図である。
【００３２】
図５に示すように、本体１４１の前端面には、押下を受けてこの本体１４１を収納体１４２からスライドにより突出させるためのボタン１４１ａが備えられている。また、図６に示すように、枠体の操作部１４３ａには、枠体１４３の本体１４１側を向いた裏面に、本体１４１の前端面に備えられたボタン１４１ａ（図５参照）に向いて突出した突起１４３ｃが設けられている。この操作部１４３ａは、外側を向いた表面側からの押下操作を受けて本体１４１に近づく側に偏倚し、突起１４３ｃの先端でボタン１４１ａ（図５参照）を押す。
【００３３】
また、この枠体１４３には開口１４３ｅが形成されている。この開口１４３ｅは、操作部１４３ａを取り巻いて延在し枠体１４３の表裏面に貫通している。
【００３４】
この枠体１４３を構成する枠体本体部１４３ｆは、開口１４３ｅによって操作部１４３ａから隔てられて操作部１４３ａを取り巻いている。
【００３５】
この枠体本体部１４３ｆには、裏面に立設したリブ１４３ｇを有する。このリブ１４３ｇにより枠体本体部１４３ｆの強度が高められており、その分、枠体本体部１４３ｆが薄く形成され、軽量化および材料費の削減に寄与している。
【００３６】
この枠体本体部１４３ｆは、後述する弾性支持片を介在させて操作部１４３ａを支持している。枠体１４３は、枠体本体部１４３ｆ、操作部１４３ａおよび後述する弾性支持片を含むその全体が一体成形された物品である。本実施形態の枠体１４３は、例えば樹脂で一体成形されたモールド品である。これにより、操作部１４３ａを枠体本体部１４３ｆと別部品で構成する場合と比べ、部品点数の削減や組立工数の削減などによるコストの低減化が図られている。なお、この枠体１４３は、本実施形態のように樹脂ではなく、弾性変形する材料であれば金属などの他材料により一体成形してもよい。
【００３７】
以下、弾性支持片を中心に説明する。
【００３８】
図７は、枠体の上面および裏面を眺める方向から示した斜視図である。
【００３９】
また、図８は、枠体の上面を示した平面図である。
【００４０】
また、図９は、枠体の、下面および表面を眺める方向から示した斜視図である。
【００４１】
さらに、図１０は、枠体の下面を示した平面図である。
【００４２】
図７、図８に示すように操作部１４３ａを取り巻く開口１４３ｅは、枠体１４３の上面１４３＿１にまで広がっており、その上面１４３＿１には、弾性支持片１４３ｈが設けられている。この実施形態では、弾性支持片が２つ設けられており、図７、図８に表わされている弾性支持片１４３ｈはそれら２つの弾性支持片のうちの一方である。
【００４３】
この弾性支持片１４３ｈは、操作部１４３ａの、開口部１４３ｅに隣接する辺１４３ａ＿１に沿って開口１４３ｅ内に延在している。この弾性支持片１４３ｈの一端および他端が、枠体本体部１４３ｆおよび操作部１４３ａにそれぞれ接続されている。
【００４４】
ここで弾性支持片１４３ｈは、枠体本体部１４３ｆに接続された一端１４３ｈ＿１から操作片１４３ａに接続された他端１４３ｈ＿２に向かって、図８では左から右に向かって延在している。この点についての説明の続きは後に譲る。
【００４５】
また、図９、図１０に示すように、操作部１４３ａを取り巻く開口１４３ｅは、枠体１４３の下面１４３＿２にも広がっており、その下面１４３＿２には、もう１つの弾性支持片１４３ｉが設けられている。この弾性支持片１４３ｉも、上面１４３＿１に設けられた弾性支持片１４３ｈ（図７、図８参照）と同様、操作部１４３ａの開口１４３ｅに隣接する辺１４３ａ＿２に沿って開口１４３ｅ内を延在し、一端および他端が枠体本体部１４３ｆおよび操作部１４３ａにそれぞれ接続されている。
【００４６】
ここで、弾性支持片１４３ｉは、枠体本体部１４３ｆに接続された一端１４３ｉ＿１から操作部１４３ａに接続された他端１４３ｉ＿２に向かって、図１０上では左から右に延在している。図面上では、図８に示す上面１４３＿１に設けられた弾性支持片１４３ｈが延在する方向と同一方向であるが、実際の枠体１４３上では、これら２つの弾性支持片１４３ｈ，１４３ｉの延在方向は互いに逆方向である。すなわち、操作部１４３ａは、２つの弾性支持片１４３ｈ，１４３ｉそれぞれの、操作部１４３ａに接続された各他端１４３ｈ＿２，１４３ｉ＿２は、操作部１４３ａの回りの回転対称の位置にある。これにより操作部１４３ａは、２本の弾性支持片１４３ｈ，１４３ｉによりバランス良く支持されている。
【００４７】
また、操作部１４３ａの周囲の開口１４３ｅは、上面１４３＿１および下面１４３＿２に配置された２本の弾性支持片１４３ｈ，１４３ｉによる２箇所の接続部分を除き、操作部１４３ａの周囲を一周している。
【００４８】
ここで、操作部１４３ａが押下操作を受けると、２本の弾性支持片１４３ｈ，１４３ｉは弾性的に撓んで操作部１４３ａを本体１４１（図４参照）の側に偏倚させる。すると、操作部１４３ａの裏面に設けられた突起１４３ｃ（図６参照）の先端が本体１４１の前端面に備えられたボタン１４１ａ（図５参照）を押し、本体１４１が収納体１４２からスライドにより突出する。操作部１４３ａから指を離すと、弾性支持片１４３ｈ，１４３ｉが元の形状に戻り、操作部１４３ａが枠体本体部１４３ｆの表面と同一面を形成する元の位置まで戻る。
【００４９】
本実施形態では、上記のように操作部１４３ａの周囲を開口１４３ｅで囲み、２本の弾性支持片１４３ｈ，１４３ｉを介して枠体本体部１４３ｆに接続しているため、操作部１４３ａが押下操作を受けたときに操作部１４３ａを十分な操作ストロークを持って偏倚させることができ、本体１４１の前端面のボタン１４１ａ（図５参照）を確実に押すことができる。
【００５０】
次に、枠体の操作部周りの構造の各種変形例を説明する。
【００５１】
図１１は、第１の変形例を示す図である。尚、図１１中のハッチングの領域は、枠体の表裏に貫通する開口を示している。以下に説明する他の図面についても同様である。
【００５２】
尚、この図１１およびこれ以降の各図において、前述の実施形態における構成要素に対応する構成要素には、分かり易さのため、形状や配置位置の相違等があっても同一の符号を付して示す。
【００５３】
前述の実施形態では、２つの弾性支持片１４３ｈ，１４３ｉは、枠体１４３の、それぞれ上面１４３＿１および下面１４３＿２に設けられている。すなわち、それら２つの操作支持片１４３ｈ，１４３ｉは、操作部１４３ａを間に挟んで上下に配置されている。
【００５４】
これに対し、図１１に示す変形例では、２つの弾性支持片１４３ｈ，１４３ｉは、操作部１４３ａを間に挟んだ左右に配置されている。このように、２つの弾性支持片１４３ｈ，１４３ｉを操作部１４３ａの左右に配置してもよい。
【００５５】
図１２は、第２の変形例を示す図である。
【００５６】
この図１２に示す変形例では、操作部１４３ａは枠体本体部１４３ｆに一本の弾性支持片１４３ｈで接続されている。このように、弾性支持片は必ずしも複数設けずに一本のみであってもよい。
【００５７】
図１３は、第３の変形例を示す図である。
【００５８】
この図１３に示す第３の変形例では、図１２に示す第２の変形例と比べ、さらに開口１４３ｊが形成されている。この開口１４３ｊは、枠体の表裏に貫通する開口であり、操作部１４３ａの中に図１３に一点鎖線で示す矩形を考えたとき、その矩形の弾性支持片１４３ｈから離れた側の一辺１４３ａ＿３のみ残し、その他の３辺に沿って延びている。
【００５９】
図１２に示す第２の変形例の場合、１本の弾性支持片１４３ｈで片持ち梁状に支持されている。このため、操作部１４３ａが押下操作を受けると、操作部１４３ａは、弾性支持片１４３ｈから離れた側の偏倚が大きくなりがちであり、操作部１４３ａが傾くように偏倚するおそれがある。
【００６０】
これに対して、図１３に示す第３の変形例の場合、図１２と同じ一本の弾性支持片１４３ｈによる片持ち梁形状の支持に加え、一点鎖線の矩形の内側の部分が逆向きに片持ち梁的に形成されている。このため、操作部１４３ａが押下操作されたとき、操作部１４３ａの一点鎖線の矩形よりも外側の部分が片持ち梁的に傾いても、操作部１４３ａの中央部分は逆向きに斜めに傾きがちとなる。
【００６１】
このため、操作部１４３ａが押下操作されたとき、その操作部１４３ａの裏面の先端部分に設けられた突起１４３ｃは傾くことなく、直進的に偏倚することになる。
【００６２】
本件は、上記の様々な変形例を含むものである。
【００６３】
尚、ここでは、ＣＤ／ＤＶＤドライブユニットが装着されたノートＰＣについて説明したが、本件の媒体ドライブユニットは、ＣＤ／ＤＶＤドライブユニットに限られるものではなく、例えばブルーレイディスクが装填され装填されたブルーレイディスクをドライブするドライブユニットなど、記憶媒体が装填されて装填された記憶媒体をドライブするドライブユニット一般に適用することができる。また、本件の電子機器はノートＰＣに限られるものではなく、本件の媒体ドライブユニットが装着される電子機器一般に適用することができる。
【図面の簡単な説明】
【００６４】
【図１】ノートＰＣの外観を示す、開状態の斜視図である。
【図２】ノートＰＣの閉状態の斜視図である。
【図３】ノートＰＣの開状態の左側面を見た斜視図である。
【図４】ノートＰＣの本体ユニットに備えられたＣＤ／ＤＶＤドライブユニットを取り出して示した斜視図である。
【図５】枠体が取り外された状態の本体の前端面を示す図である。
【図６】枠体から取り外された状態の枠体の裏面を示した図である。
【図７】枠体の上面および裏面を眺める方向から示した斜視図である。
【図８】枠体の上面を示した平面図である。
【図９】枠体の、下面および表面を眺める方向から示した斜視図である。
【図１０】枠体の下面を示した平面図である。
【図１１】第１の変形例を示す図である。
【図１２】第２の変形例を示す図である。
【図１３】第３の変形例を示す図である。
【符号の説明】
【００６５】
１４    ＣＤ／ＤＶＤドライブユニット
１４１    本体
１４１ａ    ボタン
１４２    収納体
１４３    枠体
１４３ａ    操作部
１４３ｅ，１４３ｊ    開口
１４３ｃ    突起
１４３ｆ    枠体本体部
１４３ｇ    リブ
１４３ｈ，１４３ｉ  弾性支持片
１４３＿１    上面
１４３＿２    下面
【図１】
2010123197.tif 000003
【図２】
2010123197.tif 000004
【図３】
2010123197.tif 000005
【図４】
2010123197.tif 000006
【図５】
2010123197.tif 000007
【図６】
2010123197.tif 000008
【図７】
2010123197.tif 000009
【図８】
2010123197.tif 000010
【図９】
2010123197.tif 000011
【図１０】
2010123197.tif 000012
【図１１】
2010123197.tif 000013
【図１２】
2010123197.tif 000014
【図１３】
2010123197.tif 000015